(57)【特許請求の範囲】
【請求項１】
入力ビデオ信号およびオンスクリーン表示用のキャラクタを表示する表示部と、
上記オンスクリーン表示用のキャラクタを予め記憶する、書き換え可能なメモリと、
上記メモリからキャラクタを選択し、上記選択されたキャラクタから上記オンスクリーン表示の内容を形成する手段とを有し、
上記メモリを書き換えるときに、新たに書き込むオンスクリーン表示用のキャラクタが記録されている着脱自在な記録媒体が接続されているコンピュータに装填され、
上記メモリを書き換えるアプリケーションソフトウェアが上記装填された記録媒体から立ち上がり、
上記コンピュータに設定されている言語が読み込まれ、
新たに書き込むオンスクリーン表示用のキャラクタが上記アプリケーションソフトウェアに従って１つまたは複数選択され、
上記メモリに記憶されていた上記オンスクリーン表示用のキャラクタが削除された後、上記選択された１つまたは複数のオンスクリーン表示用のキャラクタが上記装填された記録媒体から上記メモリに書き込まれる
ことを特徴とする表示装置。
【請求項２】
上記メモリを書き換えるときに、上記読み込まれた言語を上記装填された記録媒体から上記メモリに書き込むか否かを尋ねるようにしたことを特徴とする請求項１に記載の表示装置。
【請求項３】
入力ビデオ信号およびオンスクリーン表示用のキャラクタを表示部に表示し、
上記オンスクリーン表示用のキャラクタを書き換え可能なメモリに予め記憶し、
上記メモリからキャラクタを選択し、上記選択されたキャラクタから上記オンスクリーン表示の内容を形成し、
上記メモリを書き換えるときに、新たに書き込むオンスクリーン表示用のキャラクタが記録されている着脱自在な記録媒体が接続されているコンピュータに装填され、
上記メモリを書き換えるアプリケーションソフトウェアが上記装填された記録媒体から立ち上がり、
上記コンピュータに設定されている言語が読み込まれ、
新たに書き込むオンスクリーン表示用のキャラクタが上記アプリケーションソフトウェアに従って１つまたは複数選択され、
上記メモリに記憶されていた上記オンスクリーン表示用のキャラクタが削除された後、上記選択された１つまたは複数のオンスクリーン表示用のキャラクタが上記装填された記録媒体から上記メモリに書き込まれる
ことを特徴とする表示方法。
【請求項４】
上記メモリを書き換えるときに、上記読み込まれた言語を上記装填された記録媒体から上記メモリに書き込むか否かを尋ねるようにしたことを特徴とする請求項３に記載の表示方法。
【発明の詳細な説明】
【０００１】
【発明の属する技術分野】
この発明は、例えばコンピュータディスプレイに適用され、表示部に所望のデータを重畳することができる表示装置および方法に関する。
【０００２】
【従来の技術】
従来、テレビモニタやＰＣ（Personal Computer）用のモニタ（以下、これらを単に「モニタ」と称する）などでは、メニューを画面に表示させて、表示される画面のサイズ、水平方向および垂直方向の位置、表示の明るさなどさまざまな調整が行わる。このメニューは、モニタ自身が持っているデータであり、表示されている画面にオンスクリーン表示（On Screen Display）（以下、「ＯＳＤ」と称する）される。すなわち、表示されている画面上に重畳してメニューが表示される。
【０００３】
図３に示す表示装置のブロック図を参照してＯＳＤの従来例を説明する。ＰＣやセットトップボックスなどのホストから供給されるビデオ信号は、入力端子４１から入力され、ビデオプリアンプ４２およびビデオメインアンプ４３で増幅され、ＣＲＴ（Cathode Ray Tube）などの表示部４４に供給され、表示される。
【０００４】
一方、ＯＳＤとして表示される信号は、ＯＳＤ部４５の中にあるキャラクタＲＯＭ（Read Only Memory）４６の中から選択されたキャラクタを表示用ＲＡＭ（Random Access Memory）４７に並べ、ＯＳＤビデオ出力回路４８から出力される。この並べ替えは、ＣＰＵ（Central Processing Unit）５０がＯＳＤ部４５のコントローラ４９に命令を伝送し、命令を受信したコントローラ４９が行う。
【０００５】
キャラクタＲＯＭ４６がＯＳＤ部４５に内蔵されていない場合は、ＣＰＵ５０に接続されたキャラクタＲＯＭ５１から読み出されたキャラクタを表示用ＲＡＭ４７に伝送して並べ、ＯＳＤビデオ出力回路４８から出力される。このキャラクタＲＯＭ５１は、ＣＰＵ５０のアルゴリズムが記憶されているＲＯＭの一部であっても良い。
【０００６】
このように、従来のＯＳＤは、表示装置が持つＯＳＤ部４５に内蔵する文字や画像データ、若しくはそのＯＳＤ部４５の外部にあるＲＯＭに設けられたＯＳＤ用のデータをＣＰＵ５０によって選択し、並べることによって表示されていた。
【０００７】
【発明が解決しようとする課題】
しかしながら、表示装置がＯＳＤ用に備えているメモリは、ＯＳＤ部４５に内蔵されているキャラクタＲＯＭ４６またはキャラクタＲＯＭ５１の何れかであり、ＰＣが備えるハードディスクやＣＤ−ＲＯＭと比較すると、かなり容量が小さい。
【０００８】
このように、表示装置が持つメモリの容量は限られているため、多言語を表示させるには容量が不足しているので、表示内容が略語になったり、言語数に制限が設けられたりする問題があった。さらに、メモリに記憶できる言語にも限りがあるので、記憶できない言語の地域への販売に支障がでる問題があった。
【０００９】
また、ＯＳＤ用に備えているメモリにデータを記憶させる時期は、表示装置を製造する数ヶ月前であり、全ての表示内容が未だ決まっていない場合が多く、最終的に表示装置が必要とするデータを完全に網羅することができない問題があった。
【００１０】
そして、表示装置完成後に表示内容に不都合が生じても、その修正をするためには、その表示装置を回収するか、ユーザ側にサービスマンなどが訪問して部品を交換する必要があり、費用および時間がかかる問題があった。
【００１１】
さらに、表示装置に表示させる内容は、表示装置を供給する販売地域の言語に合わせて生産すると、生産時の言語の切り替えに手間がかかり、さらに言語毎に表示装置を管理しなければならない問題があった。
【００１２】
また、所定の言語をデフォルトとして固定して表示装置を出荷すると、その所定の言語を読めないユーザがその読めない言語から読める言語へ変更するまでに手間がかかる問題があった。
【００１３】
従って、この発明の目的は、メモリに記憶されているＯＳＤ用のデータを容易に変更することができる表示装置および方法を提供することにある。
【００１４】
【課題を解決するための手段】
請求項１に記載の発明は、入力ビデオ信号およびオンスクリーン表示用のキャラクタを表示する表示部と、オンスクリーン表示用のキャラクタを予め記憶する、書き換え可能なメモリと、メモリからキャラクタを選択し、選択されたキャラクタからオンスクリーン表示の内容を形成する手段とを有し、メモリを書き換えるときに、新たに書き込むオンスクリーン表示用のキャラクタが記録されている着脱自在な記録媒体が接続されているコンピュータに装填され、メモリを書き換えるアプリケーションソフトウェアが装填された記録媒体から立ち上がり、コンピュータに設定されている言語が読み込まれ、新たに書き込むオンスクリーン表示用のキャラクタがアプリケーションソフトウェアに従って１つまたは複数選択され、メモリに記憶されていたオンスクリーン表示用のキャラクタが削除された後、選択された１つまたは複数のオンスクリーン表示用のキャラクタが装填された記録媒体からメモリに書き込まれることを特徴とする表示装置である。
【００１５】
請求項３に記載の発明は、入力ビデオ信号およびオンスクリーン表示用のキャラクタを表示部に表示し、オンスクリーン表示用のキャラクタを書き換え可能なメモリに予め記憶し、メモリからキャラクタを選択し、選択されたキャラクタからオンスクリーン表示の内容を形成し、メモリを書き換えるときに、新たに書き込むオンスクリーン表示用のキャラクタが記録されている着脱自在な記録媒体が接続されているコンピュータに装填され、メモリを書き換えるアプリケーションソフトウェアが装填された記録媒体から立ち上がり、コンピュータに設定されている言語が読み込まれ、新たに書き込むオンスクリーン表示用のキャラクタがアプリケーションソフトウェアに従って１つまたは複数選択され、メモリに記憶されていたオンスクリーン表示用のキャラクタが削除された後、選択された１つまたは複数のオンスクリーン表示用のキャラクタが装填された記録媒体からメモリに書き込まれることを特徴とする表示方法である。
【００１６】
このように、表示するビデオ信号に重畳するＯＳＤの内容例えば調整用のメニューのデータを書き換え可能なメモリに記憶しているので、自由にデータを書き換えることができる。したがって、生産直前まで設計変更ができたり、さまざまな地域の言語に対応したりすることができる。
【００１７】
【発明の実施の形態】
以下、この発明の一実施形態について図面を参照して説明する。なお、各図に亘り同じ機能を有するものには、同一の参照符号を付し、説明の重複を避ける。
図１は、この発明が適用された一実施形態の全体的構成を示す。
【００１８】
参照符号１で示すＰＣは、モニタ２とビデオケーブル３で接続されている。ビデオケーブル３は、例えばアナログ用のＶＧＡ（Video Graphics Array）ビデオケーブルで良く、Ｄｓｕｂ１５ピンのＶＧＡビデオケーブルが使用される。このビデオケーブル３には、ＤＤＣ（Display Data Channel）という通信ラインが設けられており、ＰＣ１と通信可能とされている。例えば、このＤＤＣを経由して、モニタ２のメーカ、型番などの情報がＰＣ１へ伝送されている。
【００１９】
また、ＰＣ１は、伝送路４を介して外部のネットワークと接続可能である。伝送路４は、例えば通常の公衆回線を用いても良いし、ＣＡＴＶ（Cable Television）のネットワークサービスや携帯電話のネットワークサービスなどを利用しても良い。勿論、ＬＡＮ（Local Area Network）、専用回線、地上波、衛星波の何れを用いても良い。また、通信方法として、外部のネットワークにアクセス可能であればどのようなプロトコルであっても良く、例えば多数の個人を直接つないで情報を共有するピアツーピア（PtoP:Peer to Peer）を適用しても良い。
【００２０】
さらに、このＰＣ１には、ＣＤ−ＲＯＭ５を再生することが可能なドライブと、ＦＤ（Floppy Disk（登録商標））６を再生することが可能なドライブとが設けられている。このＣＤ−ＲＯＭ５またはＦＤ６には、一例としてモニタ用のアプリケーションソフトウェアおよびデータが記録されている。また、ＣＤ−ＲＯＭ５およびＦＤ６は、記録媒体の一例であり、モニタ用のアプリケーションソフトウェアおよびデータが記録でき、且つＰＣ１で再生できる記録媒体であればどのようなものでも良い。例えば、着脱自在なメモリカードであっても何ら問題はない。
【００２１】
モニタ２には、ＰＣ１からビデオケーブル３を介して伝送されるビデオ信号が表示される。モニタ２は、少なくともＶＧＡ画像が表示可能なものであれば良い。このモニタ２は、表示される画像の水平方向および垂直方向のサイズ、位置、表示の明るさなどを調整する手段を内蔵している。所定の手順の後、モニタ２の画面に調整するパラメータが画面にＯＳＤとして表示される。このときＯＳＤとして表示されるパラメータは、例えばメニュー形式で表示される。
【００２２】
モニタ２のＯＳＤの一実施形態を図２のブロック図を参照して説明する。ＰＣ１から供給されるビデオ信号が入力端子２１を介して供給される。入力端子２１を介して供給されるビデオ信号は、ビデオプリアンプ２２およびビデオメインアンプ２３において増幅される。増幅されたビデオ信号は、表示部２４へ供給され、表示される。この表示部２４は、ＣＲＴであっても良いし、ＬＣＤ（Liquid Crystal Display）であっても良い。すなわち表示部２４は、上述したようにＶＧＡ画像が表示可能であれば良い。
【００２３】
ＯＳＤとして表示される信号は、ＯＳＤ部２５から出力される。このＯＳＤ部２５は、書き換え可能なメモリ２６、表示用ＲＡＭ２７、ＯＳＤビデオ出力回路２８、およびコントローラ２９から構成される。
【００２４】
メモリ２６には、ＯＳＤとして表示するためのキャラクタ（以下、「ＯＳＤデータ」と称する）が記憶されている。ＯＳＤデータとして、例えば文字、記号、画像データ、およびテストパターンのパターンを作るためのデータが記憶されている。メモリ２６では、コントローラ２９からの指示に応じたＯＳＤデータが表示用ＲＡＭ２７へ供給される。この一実施形態では、ＯＳＤデータは書き換え可能なメモリ２６の一例として、ＥＥＰＲＯＭであっても良いし、フラッシュメモリであっても良い。また、着脱自在なメモリカードであっても良い。その場合、言語毎のメモリカードを用意するようにしても良い。
【００２５】
表示用ＲＡＭ２７では、メモリ２６から供給されたＯＳＤデータが、コントローラ２９から指示された位置に配置される。すなわち、表示用ＲＡＭ２７では、表示部２４に表示されるメニューが形成される。形成されたメニューは、ＯＳＤビデオ出力回路２８へ供給される。
【００２６】
ＯＳＤビデオ出力回路２８では、表示用ＲＡＭ２７から供給されたメニューに対して例えばＶＧＡ形式で表示可能なように処理が施される。ＶＧＡ形式で表示可能なように処理が施されたメニューは、ビデオプリアンプ２２へ供給される。したがって、メニューは、入力端子２１からのビデオ信号に重畳され、表示部２４に表示される。このように、コントローラ２９は、ＣＰＵ３０から伝送された命令を受信し、受信した命令に応じてＯＳＤ部２５を制御する。
【００２７】
また、メモリ２６に記憶されているＯＳＤデータは、ＣＰＵ３０から導出される端子３２を介して自由に書き換えることが可能である。例えば、ＰＣ１によって記録媒体に記憶されているＯＳＤデータを読み出して、読み出したＯＳＤデータを端子３２を介してメモリ２６に書き込むことが可能である。このとき、メモリ２６に書き込まれていたＯＳＤデータはまず消去され、新たにＯＳＤデータが書き込まれる。また、ＰＣ１によって伝送路４を介して所望の場所からＯＳＤデータを獲得し、獲得したＯＳＤデータを端子３２を介してメモリ２６に書き込むことも可能である。
【００２８】
ここで、ＯＳＤ部２５にメモリ２６が内蔵されていない場合、ＣＰＵ３０に接続されたメモリ３１を用いても良い。この場合、メモリ３１には、ＯＳＤデータとして、例えば文字、記号、画像データなどのデータが記憶されている。そして、ＣＰＵ３０からの指示に応じたＯＳＤデータが読み出され、読み出されたＯＳＤデータは、ＣＰＵ３０を介して表示用ＲＡＭ２７へ供給される。上述のメモリ２６と同様に、メモリ３１は、書き換え可能なメモリであればどのようなものでも良く、例えば、ＥＥＰＲＯＭであっても良いし、フラッシュメモリであっても良い。また、メモリ３１は、ＣＰＵ３０のアルゴリズムが記憶されているＲＯＭであっても良い。その場合、ＣＰＵ３０のアルゴリズムも書き換えるようにしても良い。
【００２９】
次に、メモリ２６または３１のＯＳＤデータを書き換える場合の一例を説明する。まず、モニタ２と接続されているＰＣ１に新たに書き込むＯＳＤデータが記録されている記録媒体、例えばＣＤ−ＲＯＭが装填される。ＣＤ−ＲＯＭに記憶されているアプリケーションが立ち上がり、モニタ２に立ち上がったアプリケーションが表示される。アプリケーションに従って新たに書き込むＯＳＤデータ、例えば言語が選択される。このとき、選択される言語は、１つであっても良いし、複数であっても良い。言語が選択されると、メモリ２６または３１に記憶されているＯＳＤデータが削除される。メモリ２６または３１のＯＳＤデータの削除後、選択された言語（ＯＳＤデータ）がＣＤ−ＲＯＭから複写され、メモリ２６または３１に書き込まれる。
【００３０】
この一実施形態では、メモリ２６または３１に新たに書き込むＯＳＤデータの一例を言語とし、その言語をアプリケーションに従って選択するようにしているが、ＰＣ１には、既に自分の使う言語が設定されているので、その設定されている言語を自動的に読み込み、読み込んだ言語をＣＤ−ＲＯＭから複写するようにしても良いか否かを尋ねるようにしても良い。
【００３１】
この一実施形態では、記録媒体の一例としてＣＤ−ＲＯＭやＦＤとしているが、ネットワークを経由してＯＳＤデータを選択し、選択したＯＳＤデータを獲得し、メモリ２６または３１へ書き込むようにしても良い。また、ネットワークを経由して自動的にＯＳＤデータを選択し、選択したＯＳＤデータをメモリ２６または３１に書き込んでも良いか否かを尋ねるようにしても良い。
【００３２】
この一実施形態では、ＰＣ１とモニタ２とをビデオケーブル３で接続して、相互にデータ伝送を行っているが、ＵＳＢ（Universal Serial Bus）またはＩＥＥＥ（Institute of Electrical and Electronics Engineers）１３９４のそれぞれの規格に準拠したケーブルおよびプロトコルを用いても良い。またこのとき、物理的なケーブルの有無は何ら関係なく、したがってケーブルで接続されていても良いし、無線であっても良い。
【００３３】
この一実施形態では、ＰＣ１に接続されるモニタ２のＯＳＤデータの書き換えを説明したが、地上波および／または衛星波などを受信して映像を表示するテレビモニタのＯＳＤデータの書き換えも同じようにして行うことが可能である。具体的には、テレビモニタに接続可能なセットトップボックススまたはゲーム機などを用いて、テレビモニタ用のアプリケーションソフトウェアとＯＳＤデータとが記録されている記録媒体を再生し、テレビモニタのＯＳＤデータを書き換えるようにしても良い。また、携帯端末などを介して、テレビモニタのＯＳＤデータを書き換えるようにしても良い。
【００３４】
この一実施形態では、ＰＣ１を経由してモニタ２のＯＳＤデータの書き換えを説明したが、モニタ２に例えば、ＣＤ−ＲＯＭのドライブ、ＦＤのドライブ、またはネットワークに接続可能なインタフェースなどが備わっていれば、ＰＣ１を経由しなくてもモニタ２のＯＳＤデータを書き換えることは可能である。
【００３５】
【発明の効果】
この発明に依れば、工場でモニタを生産する場合、組み立てた後で通信ラインを介してＯＳＤデータを書き込むようにすることができるので、モニタの生産直前までＯＳＤデータの設計変更が可能となり、より優れたモニタを作ることができる。
【００３６】
この発明に依れば、モニタ内部のメモリに選択された情報のみ格納すればよいので、メモリサイズを小さくすることができる。また、従来と同じメモリサイズであれば従来よりも多くの情報を格納することができる。
【００３７】
この発明に依れば、通信回線を使ってデータを送受信することができるので、モニタの出荷後であってもユーザ側にサービスマンなどが訪問して、メモリの内容の変更、例えば新しいＯＳＤデータを追加、修正することが容易にできるようになり、サービスコストが削減でき、且つユーザの待ち時間も短縮される。
【００３８】
この発明に依れば、ユーザ自身がＰＣで使用している言語を自動的に選択することができるので、モニタのメニューから言語を選択する手間を省くことができる。
【００３９】
この発明に依れば、ＣＤ−ＲＯＭなどの大容量メモリから言語を選択することができるので、言語数の選択種類を増加させることができる。したがって、世界各国での販路が増える。
【００４０】
この発明に依れば、製造段階で販売地域向けの言語をセットしなくても済むので、製造工数を削減でき、設定ミスも防ぐことができる。また、設定ミスを犯したとしても、その後容易に設定を変更して、切り替えることができる。
【図面の簡単な説明】
【図１】この発明を適用することができるシステムのブロック図である。
【図２】この発明が適用されたモニタの一実施形態のブロック図である。
【図３】モニタの従来例のブロック図である。
【符号の説明】
２２、４２・・・ビデオプリアンプ、２３、４３・・・ビデオメインアンプ、２４・・・モニタ、２５、４５・・・ＯＳＤ部、２６、３１・・・メモリ、２７、４７・・・表示用ＲＡＭ、２８、４８・・・ＯＳＤビデオ出力回路、２９、４９・・・コントローラ、３０、５０・・・ＣＰＵ、４４・・・表示部、４６・・・ＲＯＭ、５１・・・キャラクタＲＯＭ
【図１】
0004951833.tif 000002
【図２】
0004951833.tif 000003
【図３】
0004951833.tif 000004